(57)【要約】【課題】何ら手を煩わすことなく人の下肢全体を効果的に保温することができるデスクワーク用下肢保温具を提供すること。【解決手段】机２の甲板３下のスペース２ｓに配設され後方部分に人Ｂの脚部の出し入れを許容する開口部１７が形成された第１保温カバー１０と、椅子５の前面部に配設された第２保温カバー２０とを備え、第１保温カバー１０で当該カバー開口部１７を介して差し込まれた人Ｂの下肢を前方、左右両側および上方から囲むとともに第２保温カバー２０で人Ｂの脚部を後方から囲んで下肢を保温する。第１保温カバー１０および第２保温カバー２０のうちの少なくともいずれか一方が高断熱布製とする。第１保温カバー１０および第２保温カバー２０のうちの少なくともいずれか一方に電熱線４１を設ける。【選択図】　　　　図１
2004016457.tif 000002
【特許請求の範囲】
【請求項１】
椅子に座り脚部を机の甲板下のスペースに差し入れた人の下肢を保温するデスクワーク用下肢保温具であって、
前記机の甲板下のスペースに配設され後方部分に前記人の脚部の出し入れを許容する開口部が形成された第１保温カバーと、前記椅子の前面部に配設された第２保温カバーとを備え、第１保温カバーで当該カバー開口部を介して差し込まれた人の下肢を前方、左右両側および上方から囲むとともに第２保温カバーで前記人の脚部を後方から囲んで下肢を保温することを特徴とするデスクワーク用下肢保温具。
【請求項２】
前記第１保温カバーおよび前記第２保温カバーのうちの少なくともいずれか一方が高断熱布製とされた請求項１記載のデスクワーク用下肢保温具。
【請求項３】
前記第１保温カバーおよび前記第２保温カバーのうちの少なくともいずれか一方に発熱体が設けられた請求項１又は２記載のデスクワーク用下肢保温具。
【発明の詳細な説明】
【０００１】
【発明の属する技術分野】
本発明は、デスクワーク用下肢保温具に関する。
【０００２】
【従来の技術】
デスクワークする場合、人は椅子に座って脚部を机の甲板下のスペースに差し入れた姿勢を取るのが一般的である。この際、冬場などには室内を暖房しても上記甲板下は気温が上がらないことがあり、人によっては下肢に毛布を巻きつけて冷えを防ぐことがある。特に、冷え性の女性にとっては、保温用の毛布は冬場の必需品といわれている。最近では、夏場でも過度に冷房する傾向にあるため，毛布を下肢に巻きつけることが多くなっている。
【０００３】
【発明が解決しようとする課題】
ところで、上記したように毛布を下肢に巻きつけて冷えを防ぐのでは、用事等のために席を離れる都度に毛布を椅子の上や机の甲板上に置き、用事が終わって席につく際には毛布を取って再び下肢に巻きつけなければならず、非常に煩わしい。
【０００４】
また、毛布を下肢全体が保温できるように巻きつけるのは難しく、下肢の一部（特に、冷気に晒される脛や足部）が冷えから逃れられないことが多い。
【０００５】
本発明の目的は、何ら手を煩わすことなく人の下肢全体を効果的に保温することができるデスクワーク用下肢保温具を提供することにある。
【０００６】
【課題を解決するための手段】
上記目的を達成するために、請求項１の発明は、椅子に座り脚部を机の甲板下のスペースに差し入れた人の下肢を保温するデスクワーク用下肢保温具であって、前記机の甲板下のスペースに配設され後方部分に前記人の脚部の出し入れを許容する開口部が形成された第１保温カバーと、前記椅子の前面部に配設された第２保温カバーとを備え、第１保温カバーで当該カバー開口部を介して差し込まれた人の下肢を前方、左右両側および上方から囲むとともに第２保温カバーで前記人の脚部を後方から囲んで下肢を保温することを特徴とするものである。
【０００７】
請求項２の発明は、前記第１保温カバーおよび前記第２保温カバーのうちの少なくともいずれか一方が高断熱布製とされたものである。
【０００８】
請求項３の発明は、前記第１保温カバーおよび前記第２保温カバーのうちの少なくともいずれか一方に発熱体が設けられたものである。
【０００９】
【発明の実施の形態】
以下、本発明の実施形態を図面を参照して説明する。
【００１０】
本発明に係るデスクワーク用下肢保温具１は、図１および図２に示すように、机２の甲板３下のスペース２ｓに配設された第１保温カバー１０と、椅子５の前面部に配設された第２保温カバー２０とを備え、第１保温カバー１０で当該カバー開口部１７を介して差し込まれた人Ｂの下肢（脚部および腰部）を前方、左右両側および上方から囲むとともに第２保温カバー２０で人Ｂの脚部を後方から囲んで下肢を保温する構成とされている。
【００１１】
具体的には、第１保温カバー１０および第２保温カバー２０は高断熱布製とされている。これにより、人Ｂの下肢部と柔らかく接触することになり一段と使い心地が良くなる。この実施形態では、両保温カバー（１０，２０）は、毛布等の厚布で形成されている。第１保温カバー１０の後方部分には、図４および図５に示すように、椅子５に座った人Ｂの脚部の出し入れを許容する開口部１７が形成されている。なお、図１および図２において、２は机である。３は机２の甲板、４は机２の脚部である。また、５は椅子である。６は椅子５の座部、７は背もたれ部、８は脚部、９はキャスタである。
【００１２】
より具体的には、第１保温カバー１０は、図３〜図５に示すように、天布１１、前垂布１２、側垂布１３、床ずり布１４、延べ布１５およびつなぎ布１６から形成されており、前吊り紐３１および後吊り紐３２ならびに取付け具３５を介して甲板３の底面部（または引出し支持部）に吊下げられている。
【００１３】
第１保温カバー１０の天布１１、前垂布１２、側垂布１３、延べ布１５およびつなぎ布１６は、縫い合わされるなどして一体的に形成されている。床ずり布１４は、前垂布１２および側垂布１３の下端部に面ファスナ（図示省略）を介して高さ位置調節可能および取外し可能に取付けられている。この床ずり布１４は、その下端が床面ＦＬに軽く接触するように高さ位置が調節されている。また、汚れた場合には、取り外して洗濯することにより、いつも清潔な状態を維持できることとされている。つなぎ布１６は、プリーツ状に形成されており、延べ布１５の持ち上げ動作等を許容可能とされている。
【００１４】
なお、取付け具３５は、スチール製の机２の上記甲板３の底面等に磁力で強固に固着して第１保温カバー１０を保持可能に形成されている。前吊り紐３１および後吊り紐３２の長さを調節することにより、第１保温カバー１０の高さ位置や姿勢を調節できる。使用に先立ち、第１保温カバー１０の天布１１が椅子５に座る人Ｂの太ももに接触するように紐（３１，３２）の長さを調節しておく。このように、使用者の体格に合わせて天布１１（従来のひざ掛け相当）を太ももがあたる位置に簡単に調節できる。
【００１５】
また、上記した第１保温カバー１０の天布１１、前垂布１２、側垂布１３に、それぞれ図示しない面ファスナを介して各同等面積の厚布（図示省略）を取付け可能に構成してもよい。これにより、一段と保温性能を向上させることができる。
【００１６】
一方、第２保温カバー２０は、図６および図７に示すように、椅子５の前面部に垂れ下げられている。この実施形態では、第２保温カバー２０は、垂れ下り長さが面ファスナ２５を介して調節可能とされている。使用に先立ち、第２保温カバー２０が椅子５のキャスタ９の運動に支障を与えないように、当該カバー２０の垂れ下り長さを調節しておく。
【００１７】
上記構成のデスクワーク用下肢保温具１によれば、図１および図２に示すように、椅子５に座った人Ｂが延べ布１５を持ち上げ、椅子５ごと机２に向かって少し移動すれば、その脚部は第１保温カバー１０内に開口部１７を介して差し入まれる。すると、椅子５に座った人Ｂの下肢は、第１保温カバー１０の天布１１、前垂布１２、側垂布１３、床ずり布１４、延べ布１５およびつなぎ布１６によって前方、左右両側および上方から囲まれるとともに、第２保温カバー２０によって脚部後方が囲まれる。これにより、人Ｂの下肢部体熱の放散が抑えられるとともに外部からの冷気の侵入が抑えられる。このように、椅子５に座った人Ｂが椅子５ごと机２に向かって少し移動するだけで、下肢全体が保温されることになる。
【００１８】
また、用事等のために席を離れる場合は、上記人Ｂが椅子５ごと後退すればその脚部が第１保温カバー１０から自然に抜け出る。この際、第１保温カバー１０は紐（３１，３２）等によって机２の甲板３下に保持されており、第２保温カバー２０は椅子５に保持されているので、両カバー（１０，２０）を片付ける必要がない。そして、用事が終わって席につく際には、人Ｂは上記したように椅子５ごと机２に向かって少し移動するだけで本デスクワーク用下肢保温具１によって下肢全体が保温される。したがって、何ら手を煩わすことなく人Ｂの下肢全体を効果的に保温することができる。
【００１９】
なお、上記実施形態では、第１保温カバー１０および第２保温カバー２０を高断熱布製としたが、これに限定されるものではなく、両者またはいずれか一方を布以外の材料（例えば、プラスチック）で形成してもよい。
【００２０】
また、第１保温カバー１０および第２保温カバー２０のうちの少なくともいずれか一方に発熱体を設けてもよい。例えば、布製の第１保温カバー１０内に図８に示すように電熱線（４１）を配設し通電することにより、適度な熱を発生するように構成してもよい。これにより、机下用の温風機を使用するよりも消費電力量が大幅に減少し省エネとなるとともに、電力が低いため通電を切り忘れても安全である。
【００２１】
また、第１保温カバー１０を前吊り紐３１および後吊り紐３２等を介して机甲板３の底面部等に吊下げたが、これに限定されるものではなく、例えば図９に示すように、机２の甲板３下のスペース２ｓで自立するフレーム５１で第１保温カバー１０を保持するようにしてもよい。
【００２２】
【発明の効果】
請求項１の発明によれば、机の甲板下のスペースに配設した第１保温カバーで椅子に座った人の下肢を前方、左右両側および上方から囲むとともに、椅子に配設した第２保温カバーで人の脚部を後方から囲むので、何ら手を煩わすことなく人の下肢全体を効果的に保温することができる。
【００２３】
請求項２の発明によれば、第１保温カバーおよび第２保温カバーのうちの少なくともいずれか一方が高断熱布製とされているので、請求項１の発明と同様な効果を奏する他、人の下肢部と柔らかく接触することになり一段と使い心地が良くなる。
【００２４】
請求項３の発明は、第１保温カバーおよび第２保温カバーのうちの少なくともいずれか一方に発熱体が設けられているので、請求項１又は２の発明と同様な効果を奏する他、一段と保温効果を増すことができる。
【図面の簡単な説明】
【図１】本発明の実施形態を説明するための図である。
【図２】同じく、使用前の状態を示す図である。
【図３】同じく、全体構成を説明するための側面図である。
【図４】同じく、全体構成を説明するための斜視図である。
【図５】同じく、第１保温カバーの開口部を説明するための斜視図である。
【図６】同じく、椅子に配設された第２保温カバーを説明するための斜視図である。
【図７】同じく、第２保温カバーを説明するための正面図である。
【図８】同じく、第１保温カバー内の電熱線を説明するための側面図である。
【図９】同じく、フレームに保持された第１保温カバーを示す斜視図である。
【符号の説明】
１　デスクワーク用下肢保温具
２　机
２ｓ　スペース
３　甲板
４　脚部
５　椅子
６　座部
７　背もたれ部
９　キャスタ
１０　第１保温カバー
１１　天布
１２　前垂布
１３　側垂布
１４　床ずり布
１５　延べ布
１６　つなぎ布
１７　開口部
２０　第２保温カバー
２５　面ファスナ
３１　前吊り紐
３２　後吊り紐
３５　取付け具
４１　電熱線
５１　フレーム
Ｂ　人
【図１】
2004016457.tif 000003
【図２】
2004016457.tif 000004
【図３】
2004016457.tif 000005
【図４】
2004016457.tif 000006
【図５】
2004016457.tif 000007
【図６】
2004016457.tif 000008
【図７】
2004016457.tif 000009
【図８】
2004016457.tif 000010
【図９】
2004016457.tif 000011